(57)【要約】【課題】チェッカーの負担を軽減することを可能とした自動釣銭釣札機の残置登録処理方法を提供することである。【解決手段】提案する自動釣銭釣札機の残置登録処理方法は、前記ＰＯＳレジスタが、前記残置登録処理が実行されると、残置命令を発行する前に、残置回収結果先読み命令を発行して、前記自動釣銭釣札機に指定された金額が論理在高に基づいて残置可能であるかどうかを判定させて該判定結果を先読み情報として取得するステップと、取得した先読み情報が残置不可能であることを示していた場合に、前記残置登録処理を中断して入金モードに移行するステップと、取得した先読み情報から残置可能であることを示していた場合に、前記残置命令を発行し、前記残置登録処理を実行するステップと、を有する。【選択図】図３
2010009531.tif 000002
【特許請求の範囲】
【請求項１】
自動釣銭釣札機内に残す金額を指定する残置登録処理を自己と接続された該自動釣銭釣札機と連動して行なうＰＯＳレジスタにおいて、
前記残置登録処理が実行されると、残置命令を発行する前に、残置回収結果先読み命令を発行して、前記自動釣銭釣札機に指定された金額が論理在高に基づいて残置可能であるかどうかを判定させて該判定結果を先読み情報として取得する先読み情報取得部と、
取得した先読み情報が残置不可能であることを示していた場合に、前記残置登録処理を中断して入金モードに移行する入金モード移行部と、
取得した先読み情報から残置可能であることを示していた場合に、前記残置命令を発行し、前記残置登録処理を実行する残置登録処理部と、
を有することを特徴とするＰＯＳレジスタ。
【請求項２】
前記残置登録処理は、紙幣種別・硬貨種別ごとの枚数・硬貨数を問わず残す金額を指定する定額残置処理であり、
前記残置回収結果先読み命令は指定した金額を含み、
前記先読み情報として指定した金額からの不足分の金額を取得することを特徴とする請求項２記載のＰＯＳレジスタ。
【請求項３】
前記残置登録処理は、紙幣種別・硬貨種別ごとに残す枚数・硬貨数を指定することで残す金額の指定を行なう枚数残置処理であり、
前記残置回収結果先読み命令は、指定した金種と、それぞれの枚数・硬貨数を含み、
前記先読み情報として指定した金種ごとの不足分の枚数・硬貨数を取得することを特徴とする請求項１記載のＰＯＳレジスタ。
【請求項４】
自動釣銭釣札機内に残す金額を指定する残置登録処理をＰＯＳレジスタとそれにつながる該自動釣銭釣札機とが行なう、該自動釣銭釣札機の残置登録処理方法において、
前記ＰＯＳレジスタが、前記残置登録処理が実行されると、残置命令を発行する前に、残置回収結果先読み命令を発行して、前記自動釣銭釣札機に指定された金額が論理在高に基づいて残置可能であるかどうかを判定させて該判定結果を先読み情報として取得するステップと、
取得した先読み情報が残置不可能であることを示していた場合に、前記残置登録処理を中断して入金モードに移行するステップと、
取得した先読み情報から残置可能であることを示していた場合に、前記残置命令を発行し、前記残置登録処理を実行するステップと、を有することを特徴とする自動釣銭釣札機の残置登録処理方法。
【請求項５】
前記残置登録処理は、紙幣種別・硬貨種別ごとの枚数・硬貨数を問わず残す金額を指定する定額残置処理であり、
前記残置回収結果先読み命令は指定した金額を含み、
前記先読み情報として指定した金額からの不足分の金額を取得することを特徴とする請求項４記載の自動釣銭釣札機の残置登録処理方法。
【請求項６】
前記自動釣銭釣札機が、自己の論理在高を算出し、前記残置回収結果先読み命令中の指定された金額が該算出された論理在高で残置可能であるかどうかの判定結果および残値不可能である場合に指定した金額からの不足分の金額を前記先読み情報として前記ＰＯＳレジスタに通知するステップと、
前記自動釣銭釣札機が、前記入金モードにおいてオペレータにより入金された金額を計数して、計数結果を入金金額として前記ＰＯＳレジスタに通知するステップと、をさらに有することを特徴とする請求項５記載の自動釣銭釣札機の残置登録処理方法。
【請求項７】
前記残置登録処理は、紙幣種別・硬貨種別ごとに残す枚数・硬貨数を指定することで残す金額の指定を行なう枚数残置処理であり、
前記残置回収結果先読み命令は、指定した金種と、それぞれの枚数・硬貨数を含み、
前記先読み情報として指定した金種ごとの不足分の枚数・硬貨数を取得することを特徴とする請求項４記載の自動釣銭釣札機の残置登録処理方法。
【請求項８】
前記自動釣銭釣札機が、自己の金種と、それぞれの枚数・硬貨数の論理在高を算出し、前記残置回収結果先読み命令中の指定した金種と、それぞれの枚数・硬貨数が該算出された論理在高で残置可能であるかどうかの判定結果および残値不可能である場合に指定した金種ごとの不足分の枚数・硬貨数を前記先読み情報として前記ＰＯＳレジスタに通知するステップと、
前記自動釣銭釣札機が、前記入金モードにおいてオペレータにより入金された金種と、それぞれの枚数・硬貨数を計数して、計数結果の金種と、それぞれの枚数・硬貨数を前記ＰＯＳレジスタに通知するステップと、をさらに有することを特徴とする請求項７記載の自動釣銭釣札機の残置登録処理方法。
【請求項９】
自動釣銭釣札機内に残す金額を指定する残置登録処理を自己と接続された該自動釣銭釣札機と連動して行なうコンピュータを、
前記残置登録処理が実行されると、残置命令を発行する前に、残置回収結果先読み命令を発行して、前記自動釣銭釣札機に指定された金額が論理在高に基づいて残置可能であるかどうかを判定させて該判定結果を先読み情報として取得する先読み情報取得部、
取得した先読み情報が残置不可能であることを示していた場合に、前記残置登録処理を中断して入金モードに移行する入金モード移行部、
取得した先読み情報から残置可能であることを示していた場合に、前記残置命令を発行し、前記残置登録処理を実行する残置登録処理部、として機能させるためのＰＯＳアプリケーション・プログラム。
【発明の詳細な説明】
【技術分野】
【０００１】
本発明は、ＰＯＳレジスタ、自動釣銭釣札機の残置登録処理方法、およびＰＯＳアプリケーション・プログラムに関する。
【背景技術】
【０００２】
スーパーマーケット等に設置されるＰＯＳ（Point of sale）レジスタ（以下、単に「ＰＯＳレジ」という）と、それにつながる自動釣銭釣札機との連動において、自動釣銭釣札機内に残す紙幣、硬貨についての指定を行なう残置機能がある。
【０００３】
残置には、一日の業務の終了時に自動釣銭釣札機内の全額を残す全額残置、紙幣種別・硬貨種別ごとの枚数（硬貨数）を問わず残す金額を指定する定額残置、紙幣種別・硬貨種別ごとに残す枚数（硬貨数）を指定する枚数残置、がある。
【０００４】
ここで扱う、残置機能のうちの定額残置機能および枚数残置機能は、ある金額（システム設定または個々のＰＯＳレジでの金額入力）のお金を翌日の釣銭釣札用として自動釣銭釣札機内に残し、それ以外の金額は排出して回収する機能である。以下、定額残置処理と枚数残置処理をまとめて残置登録処理という。
【０００５】
定額残置においては、自動釣銭釣札機のファームウェアのロジックにより、指定した金額と実在高との下３桁の調整が硬貨により行われ、続いて、千券での調整が行われる。この結果、自動釣銭釣札機内の実在高が指定した金額に満たない場合、または、自動釣銭釣札機内の実在高が指定した金額を上回っても自動釣銭釣札機内の金種の組み合わせがうまくいかない場合（以下、これを「構成不足」の場合という。「構成不足」は定額残置と枚数残置の双方で起こりうる）、残置不足エラーとなる。
【０００６】
枚数残置においては、当然のこととして指定された金種ごとの枚数・硬貨数が、自動釣銭釣札機内の金種ごとの枚数・硬貨数の実在高と比較される。この結果、金種ごとの枚数・硬貨数の実在高に対し、指定された金種の少なくとも１つにおいて、その金種の枚数（または硬貨数）がその金種の枚数（または硬貨数）の実在高に満たない場合（この中には、上記した「構成不足」の場合も含まれる）、残置不足エラーとなる。
【０００７】
残置不足エラーとなった場合、現行では、ＰＯＳレジの画面兼タッチパネル部にエラーで残置できない旨のメッセージを表示→中止キーの押下（エラーメッセージクリア）→オペレータ（「チェッカー」ということもある）動作による釣銭釣札補充、を行っている。
【０００８】
また、構成不足の場合、何の金種が何枚足りないのかという情報を自動釣銭釣札機からＰＯＳレジに出力しておらず、ＰＯＳレジにおいて、その何の金種が何枚足りないのかという情報を持っていないため、残置不足エラーの解消が困難である、という問題がある。
【０００９】
また、チェッカーによる不正により、硬貨が自動釣銭釣札機からまれに抜き取られることがある。このため、自動釣銭釣札機のファームウェアのロジックとして、実在高のカウント処理が入っている。しかし、初回だけでなく、残置不足エラー後に釣銭釣札を補充した場合も、実在高のカウント処理を行っている。実在高のカウントには数分程度の時間を有するので、残置不足エラー解消までにかかる時間が増し、チェッカーの残置登録処理における負担が増す、という問題がある。
【００１０】
関連の技術として、特許文献１には、現金（紙幣・硬貨）を入出金する現金入出金口と、釣銭のための現金を収納する釣銭収納庫と、売上金（紙幣・硬貨）を収納する現金金庫とを１台の装置（現金管理装置）内に設けることで、店長や店員の釣銭準備金確保のための負担を軽減できる技術が示されている。
【特許文献１】特開２００５−３８０６２号公報
【発明の開示】
【発明が解決しようとする課題】
【００１１】
本発明は、チェッカーの負担を軽減することを可能としたＰＯＳレジスタ、自動釣銭釣札機の残置登録処理方法、およびＰＯＳアプリケーション・プログラムを提供することを目的とする。
【課題を解決するための手段】
【００１２】
提案する自動釣銭釣札機の残置登録処理方法は、ＰＯＳレジスタとそれにつながる自動釣銭釣札機とが連動して行なうものである。
上記ＰＯＳレジスタは、上記残置登録処理が実行されると、残置命令を発行する前に、残置回収結果先読み命令を発行して、上記自動釣銭釣札機に指定された金額が論理在高に基づいて残置可能であるかどうかを判定させて該判定結果を先読み情報として取得する。
【００１３】
そして、取得した先読み情報が残置不可能であることを示していた場合に、上記残置登録処理を中断して入金モードに移行し、取得した先読み情報から残置可能であることを示していた場合に、上記残置命令を発行し、上記残置登録処理を実行する。
【発明の効果】
【００１４】
提案する自動釣銭釣札機の残置登録処理方法によれば、残置不足エラーとなる条件下において、残置不足エラーとなりうる状態を、実在高のカウント前に判定し、残置不足エラーになる状態の場合には、計数（入金）モードに移行して適当な金額を入金できるようにしている。これにより、実在高のカウント後に残置不足エラーにより再度、入金、実在高のカウントを行なうことが、論理在高と実在高とが異なる場合（このような場合はまれにしかない）を除いてはなくなり、残置不足エラー解消までにかかる時間を減らすことができ、チェッカーの残置登録処理における負担を軽減することができる。
【発明を実施するための最良の形態】
【００１５】
以下図面に基づいて、本発明の実施形態について詳細を説明する。
図１は、本発明の一実施形態に係るＰＯＳシステムの構成を示す図である。このＰＯＳシステムは、スーパーマーケット等の店舗に設置される。
【００１６】
図１に示すように、このＰＯＳシステムは、ＰＯＳサーバ１と、複数台のＰＯＳレジ２とがＬＡＮ（Local Area Network）により接続されて構成されている。
ＰＯＳレジ２はそれぞれ、自動釣銭釣札機３にケーブル４により接続され、そのケーブル４を通して必要な情報を自動釣銭釣札機３との間でやり取りする。また、ＰＯＳレジ２は、販売時点でのデータの採取を行なう。
【００１７】
ＰＯＳサーバ１は、自己が管理する複数台のＰＯＳレジ２が採取したデータに関する集計などを行なう。
ＰＯＳレジ２は、図には必ずしも示されていないが、レジスタ本体、画面兼タッチパネル部、レシートをプリントアウトするプリンタ、ＣＣＤを用いたハンディタイプのタッチスキャナ、を有している。また、ＰＯＳレジ２とは独立に、引き出し式の金庫であるドロワ（不図示）、レーザを用いた据え置きタイプのスキャナ（不図示）も、この店舗には設置されている。
【００１８】
ＰＯＳレジ２は、図２に示すように、ＲＯＭ（Read Only Memory）５、ＲＡＭ（Random
Access Memory）６、ＣＰＵ（Central Processing Unit）７、通信インターフェイス８、記録媒体の読取装置９、ハードディスクなどの記憶装置１１、を有し、それらがバス１２によって接続されている。なお、通信インターフェイス８を通して外部記憶装置１３上のデータ（プログラム）にアクセスできる。
【００１９】
本実施形態のプログラム（残置登録処理（定額残置処理および枚数残置処理）を実行するＰＯＳアプリケーション・プログラム）は、ＲＯＭ５、記憶装置１１、外部記憶装置１３、記録媒体の読取装置９によって読み取られる可搬型記録媒体（ＣＤ，ＦＤＤ，等）に記憶される。そして、実行時には、そのいずれかからＲＡＭ６に読み出されてＣＰＵ７により実行される。
【００２０】
図３は、本実施形態における残置登録処理の概要を示す図である。
図３において、（１）で、ＰＯＳレジ２の画面兼タッチパネル部１５上に表示された「残置」ボタンがチェッカーにより押下されることで、残置登録処理（定額残置または枚数残置）が開始される。
【００２１】
本実施形態においては、残置登録処理が実行されると、残置命令を発行する前に、自動釣銭釣札機３に論理在高に基づいて指定された金額が残置可能であるかどうかを判定させて該判定結果を先読み情報として取得するために、続く（２）で、ＰＯＳレジ２から自動釣銭釣札機３に対し、残置回収結果先読み命令が発行される。
【００２２】
この残置回収結果先読み命令を受けて、自動釣銭釣札機３は、（３）で、自己の論理在高を算出し、算出された論理在高で前記指定された金額が残置可能であるかどうかの判定結果（すなわち残置回収結果情報）をＰＯＳレジ２に対して通知する。
【００２３】
ＰＯＳレジ２は（４）で取得した自動釣銭釣札機３の残置回収結果情報の値により、以下のように処理を分岐する。
すなわち、（４）で、取得した先読みした情報が残置可能であることを示していた場合、上記残置命令を発行し、（５）で、残置登録処理を実行する。
【００２４】
また、（４）で取得した先読みした情報が残置不可能であることを示していた場合、（５）’で、残置登録処理を中断して入金モードに移行し、その後、（１）に戻り、残置登録処理が再試行される。
【００２５】
図４および図５は、本実施形態における残置登録処理の詳細フローチャートである。なお、図中、二重線で枠のステップは、チェッカーによる操作を伴うステップである。
ＰＯＳレジ２の画面兼タッチパネル部１５上に表示された「残置」ボタンがチェッカーにより押下されることで、残置登録処理が開始されると、ステップＳ１１において、残置登録処理の種類ごとの必要な情報が設定されているかどうかについての判断がなされる。すなわち、定額残置処理に対しては残置金額、枚数残置処理に対しては金種枚数（紙幣種別・硬貨種別ごとの枚数（硬貨数））が設定されているかどうかについての判断がなされる。
【００２６】
ステップＳ１１で残置金額および金種枚数のいずれも登録されていないと判断された場合（ステップＳ１１の判定がＮｏの場合）、ステップＳ１２において、残置金額および金種枚数の登録画面がＰＯＳレジ２の画面兼タッチパネル部１５上に表示され、チェッカーによる入力待ち状態となる。
【００２７】
ステップＳ１２でチェッカーによる入力がなされていない場合（ステップＳ１２の判定がＮｏの場合）、ステップＳ１３において、残置金額および金種枚数のいずれかが登録画面を通して入力され、ステップＳ１２に戻る。
【００２８】
ステップＳ１２でチェッカーによる入力がなされている場合（ステップＳ１２の判定がＹｅｓの場合）、ステップＳ１４に進む。
ここで、ステップＳ１４〜Ｓ１８は、従来技術に対し本実施形態において追加された処理である。なお、本実施形態では定額残置および枚数残値を扱う。
【００２９】
ステップＳ１４では、残置命令を発行する前に、自動釣銭釣札機３に論理在高に基づいて指定された金額が残置可能であるかどうかを判定させて該判定結果を先読み情報として取得するために、ＰＯＳレジ２から自動釣銭釣札機３に対し、残置回収結果先読み命令（先読み命令であることを示す識別情報の他に、定額残置の場合は指定した金額、枚数残置の場合は指定した金種と、それぞれの枚数（硬貨数）、を有する）が発行される。そして、その先読み命令に対する応答として、指定された金額または金種ごとの枚数が残置可能であるかどうかの判定結果（すなわち残置回収結果情報）を自動釣銭釣札機３からＰＯＳレジ２に通知する。
【００３０】
残置回収結果情報は、それが回収結果情報であることを示す識別情報の他に、残置可能であるかどうかの判定結果情報（ＯＫ，ＮＧ）であり、判定結果情報がＮＧの場合、さらに以下のデータが追加される。
・定額残置の場合・・・指定した金額からの不足分の金額
・枚数残置の場合・・・金種ごとの不足分の枚数（硬貨数）
なお、定額残置における「構成不足の場合」は指定した金額は「０」になる。
【００３１】
なお、ＰＯＳレジ２において処理される上述の金額または金種ごとの枚数（硬貨数）は、自動釣銭釣札機３の論理在高であるので、処理に時間がかからない。
続くステップＳ１５では、ステップＳ１４で通知された残置回収結果情報を読むことで、残置指定（設定または画面入力）した金額または金種ごとの枚数（硬貨数）が残置可能であるかどうかが判定される。
【００３２】
ステップＳ１５で残置指定した金額または金種ごとの枚数（硬貨数）が残置不可能であると判定された場合（ステップＳ１５の判定がＮｏの場合）、ステップＳ１６において、指定した金額または枚数（硬貨数）に対し、不足分の金額または金種ごとの枚数（硬貨数）がＰＯＳレジ２の画面兼タッチパネル部１５上に表示され、ステップＳ１７で入金モードに移行する。
【００３３】
チェッカーはこの表示を参考にしつつ、ぴったりの金額ではなく、適当な金額を入金する。これにより、その都度、入金金額を数えるというチェッカーの負担を軽減できる。
チェッカーによる入金を受けて、続く、ステップＳ１８では、チェッカーによる入金金額が不足金額以上であるかどうか（定額残置の場合）、あるいは、チェッカーが入金した金種ごとの枚数（硬貨数）がすべて不足分の金種ごとの枚数（硬貨数）以上であるかどうか（枚数残置の場合）が判定される。
【００３４】
ステップＳ１８で入金金額が不足金額未満である（あるいは、入金した金種ごとの枚数のうちで少なくとも１つの金種において、不足分のその金種の枚数未満である）と判定された場合（ステップＳ１８の判定がＮｏの場合）、ステップＳ１６に戻り、ステップＳ１８の不足金額と入金金額との差分を新たな不足金額として（定額残置の場合）、あるいは、ステップＳ１８の不足分の金種ごとの枚数（硬貨数）と入金した金種ごとの枚数（硬貨数）との差分を新たな不足分の金種ごとの枚数（硬貨数）として（枚数残置の場合）、ステップＳ１６以降の処理が繰り返される。
【００３５】
ステップＳ１８で入金金額が不足金額以上である（あるいは、入金した金種ごとの枚数がすべて不足分の金種ごとの枚数以上である）と判定された場合（ステップＳ１８の判定がＹｅｓの場合）、または、ステップＳ１５で残置指定した金額または枚数（硬貨数）が残置可能であると判定された場合（ステップＳ１５の判定がＹｅｓの場合）、残置命令がＰＯＳレジ２から自動釣銭釣札機３に対して発行され、図５のステップＳ１９に進む。
【００３６】
ステップＳ１９では、自動釣銭釣札機３において、金額または金種ごとの枚数（硬貨数）の実在高がカウントされる。このカウント処理では、実際に自動釣銭釣札機３内の在高をカウントするため、処理に時間がかかる（数分程度）。しかし、論理在高と実在高が一致しない可能性があるため、残置運用の際、必ず１回は実行しなければならない。
【００３７】
続く、ステップＳ２０では、残置指定（設定または画面入力）した金額または金種ごとの枚数（硬貨数）が残置可能であるかどうかが判定される。なお、判定結果は、上述の残置回収結果情報としてＰＯＳレジ２に通知される。
【００３８】
ステップＳ２０において残置指定（設定または画面入力）した金額または金種ごとの枚数（硬貨数）が残置可能ではないと判定された場合（ステップＳ２０の判定がＮｏの場合）、判定結果情報がＮＧである残置回収結果情報がＰＯＳレジ２に通知され、続く
ステップＳ２１において、指定した金額または枚数（硬貨数）に対し、実在高に基づく不足分の金額または金種ごとの枚数（硬貨数）がＰＯＳレジ２の画面兼タッチパネル部１５上に表示され、チェッカーからの入力待ち状態となる。例えばチェッカーにより「中止ボタン」が押下されることで、一連の残置登録処理が中止される。
【００３９】
これにより、残置登録処理は一旦終了する。チェッカーは例えばこの後、「入金ボタン」を押下して、表示された、実在高に基づく不足分の金額または金種ごとの枚数（硬貨数）を自動釣銭釣札機３に入金して、再度「残置」ボタンを押下することで、図４のステップＳ１１以降の処理が開始される。
【００４０】
ステップＳ２０において残置指定（設定または画面入力）した金額または金種ごとの枚数（硬貨数）が残置可能であると判定された場合（ステップＳ２０の判定がＹｅｓの場合）、ステップＳ２２において、ステップＳ１９でカウントされた実在高の金額または金種ごとの枚数（硬貨数）が残値指定された金額または金種ごとの枚数（硬貨数）に一致するかどうかが判定される。
【００４１】
ステップＳ２２において実在高の金額または金種ごとの枚数（硬貨数）が残値指定された金額または金種ごとの枚数（硬貨数）に一致しないと判定された場合（ステップＳ２２の判定がＮｏの場合）、ステップＳ２３において、または余剰金額または金種ごとの余剰分の枚数（硬貨数）の排出処理が自動釣銭釣札機３において実行され、一連の残置登録処理を終了する。
【００４２】
ステップＳ２２において実在高の金額または金種ごとの枚数（硬貨数）が残値指定された金額または金種ごとの枚数（硬貨数）に一致すると判定された場合（ステップＳ２２の判定がＹｅｓの場合）、一連の残置登録処理を終了する。
【００４３】
なお、自動移行設定の場合、残置登録処理に続いて、後続の精算処理が起動する。
以上説明したように、本実施形態においては、残置不足エラーとなる条件下において、残置不足エラーとなりうる状態を、自動釣銭釣札機３による実在高のカウント前に自動釣銭釣札機３から取得した論理在高を用いてＰＯＳレジ２側で判定し、残置不足エラーにな
る状態の場合には、計数（入金）モードに移行して適当な金額を入金できるようにしている。すなわち、残置不足エラーが解消したと思われる状態を、実在高のカウント前に作り出すことができる。
【００４４】
これにより、実在高のカウント後に残置不足エラーにより再度、入金、実在高のカウントを行なうこと（すなわち、図５のステップＳ２０で判定がＮｏ→ステップＳ２１の後、再度図４のステップＳ１１以降の処理を繰り返すこと）が、論理在高と実在高とが異なる場合（このような場合はまれにしかない）を除いてはなくなり、残置不足エラー解消までにかかる時間を減らすことができ、チェッカーの残置登録処理における負担を軽減することができる。
【図面の簡単な説明】
【００４５】
【図１】本発明の一実施形態に係るＰＯＳシステムの構成を示す図である。
【図２】記憶媒体例を示す図である。
【図３】本実施形態における残置登録処理の概要を示す図である。
【図４】本実施形態における残置登録処理の詳細フローチャートである。
【図５】本実施形態における残置登録処理の詳細フローチャート（続き）である。
【符号の説明】
【００４６】
１      ＰＯＳサーバ
２      ＰＯＳレジスタ
３      自動釣銭釣札機
４      ケーブル
５      ＲＯＭ
６      ＲＡＭ
７      ＣＰＵ
８      通信インターフェイス
９      記録媒体の読取装置
１１      記憶装置
１２      バス
１３      外部記憶装置
１５      画面兼タッチパネル部
【図１】
2010009531.tif 000003
【図２】
2010009531.tif 000004
【図４】
2010009531.tif 000005
【図５】
2010009531.tif 000006
【図３】
2010009531.tif 000007